(57)【要約】【課題】無線通信モジュールへの静電気の影響を回避して、良好な無線通信性能を確保することができる電子機器を提供する。【解決手段】電子機器は、メイン基板２７のグランドに電気的に接続されるシャーシ部材２３と、シャーシ部材２３にビス１９ａにより締結される外装カバー１７と、シャーシ部材１７にビス２５により締結され、メイン基板２７に電気的に接続される無線通信モジュール２４とを備える。シャーシ部材２３は、平面部２３ａと、平面部２３ａから折り曲げられて形成された腕部３１ａと、を有し、腕部３１ａの先端側には、外装カバー１７がビス１９ａにより締結されるビス締結部３１ｂが設けられ、腕部３１ａの基端側には、無線通信モジュール２４のグランドがビス２５により締結されるビス締結部３１ｃが設けられる。【選択図】図６
2015035742.tif 000002
【特許請求の範囲】
【請求項１】
配線基板と、
前記配線基板のグランドに電気的に接続されるシャーシ部材と、
前記シャーシ部材に第１のビスにより締結される外装カバーと、
前記シャーシ部材に第２のビスにより締結され、前記配線基板に電気的に接続される無線通信モジュールと、を備え、
前記シャーシ部材は、平面部と、前記平面部から折り曲げられて形成された腕部と、を有し、
前記腕部の先端側には、前記外装カバーが前記第１のビスにより締結される第１のビス締結部が設けられ、前記腕部の基端側には、前記無線通信モジュールのグランドが前記第２のビスにより締結される第２のビス締結部が設けられることを特徴とする電子機器。
【請求項２】
前記第１のビス締結部、及び前記第２のビス締結部は、前記腕部の幅方向の中央部に配置されることを特徴とする請求項１に記載の電子機器。
【請求項３】
前記シャーシ部材は、前記平面部の正面側に、レンズ鏡筒が保持され、前記平面部の背面側に、表示ユニットが保持されることを特徴とする請求項１又は２に記載の電子機器。
【発明の詳細な説明】
【技術分野】
【０００１】
本発明は、例えばデジタルカメラやデジタルビデオカメラ等の電子機器に関し、特に無線通信モジュールを備える電子機器に関する。
【背景技術】
【０００２】
デジタルカメラ等の電子機器では、記録されたデータ等を外部機器との間で送受信するための無線通信モジュールを搭載したものがある。無線通信モジュールのアンテナは、良好な送受信性能を得るため、ユーザが撮影時に把持するグリップ側と反対の側部に外装カバーに近接して配置される（特許文献１）。
【０００３】
また、静電気対策として、外装カバーは、ビスを介してカメラ本体の内部にシャーシ締結され、シャーシは、メイン基板等にグランド接続される。これにより、ユーザから外装カバーに放電された静電気は、ビス及びシャーシを介してメイン基板等に流れてグランド接続される。また、無線通信モジュールについても、外装カバーとシャーシとのビス締結部の近傍位置で、シャーシにビス締結され、ビス及びシャーシを介してメイン基板等にグランド接続される。
【先行技術文献】
【特許文献】
【０００４】
【特許文献１】特開２００７−６０２３７号公報
【発明の概要】
【発明が解決しようとする課題】
【０００５】
しかし、上記従来技術のように、無線通信モジュールのグランドを外装カバーとシャーシとのビス締結部の近傍位置でシャーシにビス締結すると、外装カバーとシャーシとのビス締結部への静電気放電により無線通信性能に悪影響を及ぼす可能性がある。
【０００６】
そこで、本発明は、無線通信モジュールへの静電気の影響を回避して、良好な無線通信性能を確保することができる電子機器を提供することを目的とする。
【課題を解決するための手段】
【０００７】
上記目的を達成するために、本発明の電子機器は、配線基板と、前記配線基板のグランドに電気的に接続されるシャーシ部材と、前記シャーシ部材に第１のビスにより締結される外装カバーと、前記シャーシ部材に第２のビスにより締結され、前記配線基板に電気的に接続される無線通信モジュールと、を備え、前記シャーシ部材は、平面部と、前記平面部から折り曲げられて形成された腕部と、を有し、前記腕部の先端側には、前記外装カバーが前記第１のビスにより締結される第１のビス締結部が設けられ、前記腕部の基端側には、前記無線通信モジュールのグランドが前記第２のビスにより締結される第２のビス締結部が設けられることを特徴とする。
【発明の効果】
【０００８】
本発明によれば、無線通信モジュールを備える電子機器において、無線通信モジュールへの静電気の影響を回避して、良好な無線通信性能を確保することができる。
【図面の簡単な説明】
【０００９】
【図１】（ａ）は本発明の電子機器の実施形態の一例であるデジタルカメラを正面側（被写体側）から見た斜視図、（ｂ）は（ａ）に示すデジタルカメラの分解斜視図である。
【図２】カメラ本体を背面側から見た分解斜視図である。
【図３】シャーシ部材を背面側から見た斜視図である。
【図４】シャーシ部材と無線通信モジュールとの関係を示す斜視図である。
【図５】シャーシ部材と無線通信モジュールと背面カバーとの関係を示す斜視図である。
【図６】背面カバーからビスに静電気放電した場合の微小電流の流れを説明するための斜視図である。
【図７】ビスからの微小電流がメイン基板のグランドに導かれる経路を模式的に示す図である。
【発明を実施するための形態】
【００１０】
以下、本発明の実施形態の一例を図面を参照して説明する。
【００１１】
図１（ａ）は本発明の電子機器の実施形態の一例であるデジタルカメラを正面側（被写体側）から見た斜視図、図１（ｂ）は図１（ａ）に示すデジタルカメラの分解斜視図である。
【００１２】
本実施形態のデジタルカメラ１０は、図１（ａ）及び図１（ｂ）に示すように、正面カバー１６、背面カバー１７、上面カバー１８、及び側面カバー１５によりカメラ本体２０の外装が形成される。カメラ本体２０の上面部には、電源ボタン１１、レリーズボタン１２、及びモードダイヤル１３が設けられ、カメラ本体２０の正面中央には、レンズ鏡筒１４が設けられる。レンズ鏡筒１４の正面右側には、ストロボユニット２２が設けられ、正面左側には、電池ボックス２６が設けられる。
【００１３】
ストロボユニット２２は、側面カバー１５に設けられた操作レバー１５ａをスライド操作することで係止解除され、これにより、上面カバー１８から上方に突出して発光可能な位置に配置される。正面カバー１６及び背面カバー１７は、締結ビス１９ａ，１９ｂによってカメラ本体２０に締結される。側面カバー１５は、正面カバー１６と背面カバー１７との間に挟持されて保持される。
【００１４】
図２は、カメラ本体２０を背面側から見た分解斜視図である。図２に示すように、カメラ本体２０は、シャーシ部材２３を備え、シャーシ部材２３の正面側には、レンズ鏡筒１４、ストロボユニット２２、電池ボックス２６、及びメイン基板２７が保持される。一方、シャーシ部材２３の背面側には、表示ユニット２１が保持される。
【００１５】
配線基板としてのメイン基板２７は、電池ボックス２６共にシャーシ部材２３に保持される。メイン基板２７は、シャーシ部材２３に不図示のビスにより締結される。レンズ鏡筒１４とシャーシ部材２３との間には、フレキシブルプリント基板２８が配置される。側面カバー１５の内側には、無線通信モジュール２４が側面カバー１５に近接して配置される。無線通信モジュール２４は、フレキシブルプリント基板２８によってメイン基板２７に電気的に接続される。
【００１６】
図３は、シャーシ部材２３を背面側から見た斜視図である。図３に示すように、シャーシ部材２３の平面部２３ａの図の右上部には、舌片部３５が折り曲げにより設けられ、舌片部３５は、メイン基板２７のグランドに電気的に接続される。シャーシ部材２３の平面部２３ａの図の左側部には、平面部２３ａに対して背面側に略直交するように折り曲げられて表示ユニット２１を保持する保持壁３３ａ，３３ｂ，３３ｃが設けられる。
【００１７】
また、保持壁３３ａ，３３ｂの間には、平面部２３ａに対して正面側に略直交するように折り曲げられた腕部３１ａが設けられ、保持壁３３ｂ，３３ｃの間には、平面部２３ａに対して正面側に略直交するように折り曲げられた腕部３２ａが設けられる。
【００１８】
腕部３１ａは、基端部にビス締結部３１ｃが設けられ、先端部にビス締結部３１ｂが設けられる。ビス締結部３１ｃ及びビス締結部３１ｂは、いずれも腕部３１ａの幅方向中央部に配置され、ビス締結部３１ｂは、ビス締結部３１ｃよりも正面側に配置される。腕部３２ａにも、先端部にビス締結部３２ｂが設けられ、ビス締結部３２ｂは、腕部３２ａの幅方向中央部に配置される。
【００１９】
図４は、シャーシ部材２３と無線通信モジュール２４との関係を示す斜視図である。図４に示すように、無線通信モジュール２４のグランドは、腕部３１ａの基端側に設けられたビス締結部３１ｃにビス２５によって締結される。これにより、無線通信モジュール２４は、ビス２５、及びシャーシ部材２３を介してカメラ本体２０のグランドやメイン基板２７のグランドに電気的に接続される。また、無線通信モジュール２４に設けられたコネクタ２４ｃには、フレキシブルプリント基板２８が接続される。ここで、ビス２５は、本発明の第２のビスの一例に相当し、ビス締結部３１ｃは、本発明の第２のビス締結部の一例に相当する。
【００２０】
図５は、シャーシ部材２３と無線通信モジュール２４と背面カバー１７との関係を示す斜視図である。図５に示すように、背面カバー１７には、表示ユニット２１が保持され、シャーシ部材２３の腕部３１ａ，３２ａに対応する位置には、正面側に略直交するように折り曲げられた側壁部１７ａ，１７ｂが設けられる。側面カバー１５は、側壁部１７ａ，１７ｂの間で無線通信モジュール２４を覆うように配置され、送受信が良好となる合成樹脂材料等で形成されている。
【００２１】
側壁部１７ａは、ビス１９ａによってシャーシ部材２３の腕部３１ａの先端側に設けられたビス締結部３１ｂに締結され、側壁部１７ｂは、ビス１９ｂによってシャーシ部材２３の腕部３２ａの先端に設けられたビス締結部３２ｂに締結される。ここで、ビス１９ａは、本発明の第１のビスの一例に相当し、ビス締結部３１ｂは、本発明の第１のビス締結部の一例に相当する。
【００２２】
本実施形態では、背面カバー１７は、金属製であるため、背面カバー１７は、ビス１９ａ，１９ｂ及びシャーシ部材２３を介してカメラ本体２０のグランドやメイン基板２７のグランドに電気的に接続される。なお、背面カバー１７とともに正面カバー１６もビス１９ａ，１９ｂによってシャーシ部材２３に締結してもよく、また、側面カバー１５も同様に締結してもよい。
【００２３】
図６は、背面カバー１７からビス１９ａ，１９ｂに静電気放電した場合の微小電流の流れを説明するための斜視図である。図６において、矢印４１ａは、ビス締結部３１ｂからビス締結部３１ｃ（ビス２５）までの腕部３１ａの略中心を通る微小電流の流れの経路である。矢印４１ｂは、ビス締結部３１ｃから腕部３１ａの曲げ部３１ｄまでの腕部３１ａの略中心を通る微小電流の流れの経路である。矢印４２は、ビス締結部３２ｂから腕部３２ａの曲げ部３２ｄまでの腕部３２ａの略中心を通る微小電流の流れの経路である。
【００２４】
ビス１９ｂに静電気放電した場合、微小電流は、瞬時に最も流れやすい矢印４２に示す経路に流れる。つまり、微小電流は、ビス締結部３２ｂから腕部３２ａを通ってシャーシ部材２３の平面部２３ａに流れ、メイン基板２７のグランドへと導かれる。
【００２５】
ビス１９ａに静電気放電した場合、微小電流は、ビス締結部３１ｂから矢印４１ａに示す経路に流れ、さらに矢印４１ｂに示す経路に流れる。無線通信モジュール２４は、腕部３１ａに設けられたビス締結部３１ｃにビス２５によって締結されるため、無線通信モジュール２４内にも微小電流が流れる。
【００２６】
微小電流の経路は、ビス締結部３１ｂからビス締結部３１ｃを通り、曲げ部３１ｄまでは分岐することがない。ビス締結部３１ｃと同電位である無線通信モジュール２４のグランドは、静電気放電による微小電流の流れの経路の途中に位置する。また、ビス１９ａから無線通信モジュール２４とメイン基板２７のグランドまでの経路は、シャーシ部材２３において分岐することない。
【００２７】
無線通信モジュール２４は、フレキシブルプリント基板２８によってメイン基板２７に電気的に接続されている。このため、無線通信モジュール２４とメイン基板２７とシャーシ部材２３とフレキシブルプリント基板２８との各グランド間においてインピーダンスが低くなるため、電位差が生じにくくなる。
【００２８】
図７を参照して、更に説明する。図７は、ビス１９ａからの微小電流がメイン基板２７のグランドに導かれる経路を模式的に示す図である。図７に示すように、ビス１９ａに静電気放電した場合に流れる微小電流は、無線通信モジュール２４に流れつつシャーシ部材２３、及びメイン基板２７のグランドに流れる。また、無線通信モジュール２４は、フレキシブルプリント基板２８によりメイン基板２７に電気的に接続されているため、フレキシブルプリント基板２８のグランドにも微小電流は流れる。
【００２９】
ここで、上述したように、ビス１９ａから無線通信モジュール２４とメイン基板２７のグランドまでの経路は、シャーシ部材２３において分岐することがない。また、ビス１９ａからメイン基板２７のグランドまでの経路においては、必ず無線通信モジュール２４のグランドを通る。
【００３０】
つまり、無線通信モジュール２４とメイン基板２７とシャーシ部材２３とフレキシブルプリント基板２８との各グランド間では電位差が生じにくくなる。その結果、無線通信モジュール２４への静電気の影響を回避して誤動作を防ぐことができる。
【００３１】
以上説明したように、本実施形態では、無線通信モジュール２４を備えるデジタルカメラ１０において、無線通信モジュール２４への静電気の影響を回避して、良好な無線通信性能を確保することができる。
【００３２】
なお、本発明の構成は、上記実施形態に例示したものに限定されるものではなく、材質、形状、寸法、形態、数、配置箇所等は、本発明の要旨を逸脱しない範囲において適宜変更可能である。
【００３３】
例えば、上記実施形態では、背面カバー１７の締結ビス１９ａへの放電現象を例示したが、例えば三脚座のように外装カバーと共にシャーシ部材２３に締結されるビスであってもよい。
【符号の説明】
【００３４】
１０  デジタルカメラ
１４  レンズ鏡筒
１５  側面カバー
１７  背面カバー
１９ａ，１９ｂ  ビス
２０  カメラ本体
２１  表示ユニット
２３  シャーシ部材
２４  無線通信モジュール
２５  ビス
２７  メイン基板
３１ａ，３２ａ  腕部
３１ｂ，３１ｃ  ビス締結部
【図１】
2015035742.tif 000003
【図２】
2015035742.tif 000004
【図３】
2015035742.tif 000005
【図４】
2015035742.tif 000006
【図５】
2015035742.tif 000007
【図６】
2015035742.tif 000008
【図７】
2015035742.tif 000009